(57)【要約】      （修正有）【課題】外袋体の素材及び土のうのサイズを選ばず、取扱いが容易で隣接及び接触する土のうを簡単に素早く連結固定し、製造コストを安価にして作業効率性及び安全性を向上させた土のうを提供する。【解決手段】雌雄兼用面ファスナーに蓄光塗料を付し、土のうの外袋体の素材に関係なく土のうの外袋体各面に複数個、縫合、貼着、植毛、直接植毛、印刷の何れかの方法にて剥離不能な状態にて取り付ける。これにより、隣接あるいは接触する各土のうの種別に関係なく雌雄兼用蓄光塗料付面ファスナー部を係合するだけで誰でも簡単に連結固定でき、据付地表に接する外袋体面は滑り止めとなり、雌雄兼用蓄光塗料付面ファスナーを使用することで係合できる面を合わせる作業が必要なく、緊急の際に即応できる。【選択図】図１
0003145396.tif 000002
【実用新案登録請求の範囲】
【請求項１】
全ての素材及びサイズの土のう（１）において、土のうの外袋体の各面に剥離不能な状態の雌雄兼用蓄光塗料付面ファスナー（２）を複数個取り付け、連結固定及び積み重ねに際しての滑落及び滑り防止をする係合面（２）を備えていることを特徴とする連結固定土のう
【請求項２】
前記袋体（１）の異なる素材の外袋体及び異なるサイズの土のうとの連結固定、滑落及び滑り防止をする雌雄兼用蓄光塗料付面ファスナー（２）を備えていることを特徴とする請求項１記載の連結固定土のう。
【請求項３】
前記雌雄兼用面ファスナー（２）に蓄光塗料を付し、使用において係合部が確認でき、暗闇等で係合しない部所が発光することで容易に位置が視認確認できることを特徴とする請求項１記載の連結固定土のう。
【請求項４】
前記雌雄兼用蓄光塗料付面ファスナー（２）の他土のうと貼着しない部所に旗等の目印体あるいは防水シート等を取り付けることができることを特徴とした請求項１記載の連結固定土のう。
【考案の詳細な説明】
【技術分野】
【０００１】本考案は、土のうの外袋体の素材及びサイズをとわず、土のうを素早く確実に連結し固定するとともに滑り、積上げ時の崩れ及びズレを防止し、あらゆる状況でも使用でき、作業効率性、安全性を向上し、製造コストを抑えることに関する。
又、土のうと目印体あるいは防水シート等とも連結固定するものである。
【背景技術】
【０００２】従来の土のうの連結や滑りに用いる技術は、積重ねたときの滑り防止技術では外面袋体の素材を利用し互いの摩擦を応用したもの、雌雄個別の面ファスナーを外面袋体の上面下面に分けて設けたもの、突起状の固まりを内包あるいは外面に取り付けたものである。隣接する土のうとの連結に関しては、布あるいは金属若しくはナイロン製の紐を使用したものであり、異なる外袋体素材及びサイズの土のうとの連結あるいは固定をする技術はなく、使用環境を選ばず作業効率、安全を向上するための目印体を付した技術はない。
【考案の開示】
【考案が解決しようとする課題】
【０００３】しかしながら、以上の技術によれば、積重ねたときの滑り防止技術において外面袋体の素材にて接触面を粗くするなどして摩擦を利用した技術では、外袋体の素材を限定されてしまい、土のうの内包物（吸水ポリマー使用）によっては水との比重差により滑りや崩れを抑えることは出来ない。雌雄個別の面ファスナーを用いた積上げの滑り止めのみにたいする技術は、雄と雌の面ファスナーが各上面と下面に別々に取り付けられているので、積上げ貼着の際に雄側と雌側とを探さなくてはならず、積重ねの途中の箇所にて上下を間違えた場合、その箇所が脆くなり危険である。又、土のう外袋体の素材を不織布と限定しており他の素材にては使用できず、雌雄を個別に裏面表面に縫合あるいは貼着しなければならないので、製造に手間とコストがかかる。突起状の固まりを内包あるいは外面に取り付けたものを使用した技術は、製造及び廃棄コストの上昇、保管場所の増大、重量増加と突起物と他の物との接触による持ち運びにたいする不便性、突起物同士の噛み合せの隙間からの漏水等がある。以上の技術は隣接する土のうと連結及び固定をする技術ではない。
連結する技術では、紐を用いたものがあるが、緊急の際に施設する土のうを素早く連結、結束するのは困難であり、連結効果がでるように結束するには施設作業を行う者が限定されてしまう。解体廃棄に結束部を外す作業は手間と労力が必要となり、視界の悪い状況等での連結するための結束作業は困難であり、状況によっては作業者を危険にさらすことともなる。又、異なる外袋体素材及びサイズ違いの土のうを簡易に連結固定をする技術はなかった。
そこでこの考案は、製造コストを安価にして、隣接及び接触するあらゆる外袋体の素材とサイズをとわず、土のうを誰でも素早く簡単に連結固定でき、滑りや滑落、崩れを防止し作業効率と安全性を向上させるととともに、収納にかかるスペースをとらず、環境に優しい連結固定土のうを提供することを課題とする。
【課題を解決するための手段】
【０００４】以上の課題を解決するために、第一考案は土のうの外袋体の各面に複数個の雌雄兼用蓄光塗料付面ファスナーを縫合、貼着、植毛、直接植毛、印刷の何れかの方法にて剥離不能な状態にて取り付け、連結固定及び積み重ねに際しての滑落及びズレと最低部の土のうの滑りを防止する係合面を備えたことを特徴とした連結固定土のうである。
第二考案は、異なる外袋体素材及びサイズ違いの土のうとの連結固定、滑落及びズレと最低部の土のうの滑りを防止する雌雄兼用蓄光塗料付面ファスナーを複数個、縫合、貼着、植毛、直接植毛、印刷の何れかの方法にて剥離不能な状態にて取り付けたことを特徴とする請求項１記載の連結固定土のうである。
第三考案は取り付ける雌雄兼用面ファスナー自体に蓄光塗料を付し、暗闇等、使用状況にかかわらず、貼着できるよう貼着部の目印体とし、同時に貼着しない部所の発光による土のうの場所の確認の目印体を兼ねることを特徴とする連結固定土のうである。
第四考案は、土のうの雌雄兼用蓄光塗料付面ファスナー部所に旗等の目印体あるいは防水シート等を取り付けることができることを特徴とした連結固定土のうである。
【考案の効果】
【０００５】本考案の雌雄兼用蓄光塗料付面ファスナーを土のうの外袋体各面に複数個、縫合、貼着、植毛、直接植毛、印刷にて剥離不能な状態にて取り付けることにより、隣接あるいは積上げる土のうを誰でも素早く簡単に連結固定できる。これにより滑りや崩れ、ズレを防止でき吸水性ポリマー等を使用した土のうでも比重差により滑ることを防止する。又、外袋体の素材及びサイズの違う土のうとも連結固定できる。製造コストは雌雄兼用蓄光塗料付面ファスナーを、土のうの外袋体に縫合、貼着、植毛、直接植毛、印刷何れかの方法にて取り付けるので比較的に製造コストが安価ですむ。又、完成している土のうでも貼着にて取り付けることができ、資源を無駄にすることもない。また出水災害において、都市部では土のうに入れる土砂が簡単に入手できない事と広大な収納スペースを必要とし、持ち運びに多大な労力を必要とするので、近年、吸水性ポリマー等を使用した土のうが増えているが、水との比重差による滑り防止と積重ねたときの崩れとズレ、外袋体の素材及び内包物及びサイズ違いの土のうとの併用に課題があったが、従来の利便性を損なわず、課題をすべて解決するのが本考案である。又、雌雄兼用面ファスナー自体に蓄光塗料を付すので、使用環境を選ばず確実に連結固定でき、貼着しない箇所は設置場所の目印体あるいは防水シート等を取り付けることができるので、利便性及び安全性を格段に向上することができる。
【考案を実施するための最良の形態】
【０００６】本考案の土のうの外袋体（１）に、雌雄兼用蓄光塗料付面ファスナー（２）を外袋体各面に複数個（２）、剥離不能な状態にて取り付ける。取り付け方法として、縫合、貼着、植毛、直接植毛、印刷のいずれか外袋体の素材及び製造過程で適する方法にて取り付ければよい。これにより、外袋体の素材及びサイズにかかわらず隣接あるいは積上げる各土のうを誰でも簡易に連結固定できる。
雌雄兼用蓄光塗料付面ファスナー（２）の雌雄兼用面ファスナー素材は、ポリプロピレン、ナイロンが望ましく、これに蓄光塗料を付す。蓄光塗料は主成分にアルミン酸塩化合物を使用しているものが適す。
雌雄兼用蓄光塗料付面ファスナー（２）の、土のう外袋体への取り付け位置を図１のとおりであるが、外袋体の素材、サイズ、特殊用途等により適す形状及び取り付け数及び取り付け位置とする。又、防水シートや旗等を取り付け固定することもできる。この場合、取り付け固定したい物に雌雄兼用蓄光塗料付面ファスナーを取り付ければよい。
雌雄兼用なので、雌雄をきにすることなくどの部所同士でも貼着できるので製造コストも安価ですみ、雌雄の貼着間違いもないので作業用途及び効率が格段に向上する。雌雄兼用蓄光塗料付面ファスナーの形状は、限定されることなく種々の形状が採用される。
【図面の簡単な説明】
【０００７】
【図１】図１は本考案の雌雄兼用蓄光塗料付面ファスナーを土のう外袋体に取り付けた斜視図である。
【図２】図２は膨張した状態の土のうに本考案の雌雄兼用蓄光塗料付面ファスナーを取り付けた斜視図である。
【図３】図３は、土のう外袋体に雌雄兼用蓄光塗料付面ファスナーを取り付けた断面図である。
【符号の説明】
【０００８】１    土のう
１ａ  土のう表面
１ｂ  土のう裏面
２    雌雄兼用蓄光塗料付面ファスナー
２ａ  雌雄兼用蓄光塗料付面ファスナー表面
２ｂ  雌雄兼用蓄光塗料付面ファスナー表面
【図１】
0003145396.tif 000003
【図２】
0003145396.tif 000004
【図３】
0003145396.tif 000005